(57)【特許請求の範囲】
【請求項１】
板ガラス（６）とミラー支持具（４）とを備えており、前記板ガラス（６）が保持手段（８）を利用して前記ミラー支持具（４）の周囲に固定され、
弾性変形可能な保持クリップ（２２）の形状を有する前記保持手段（８）は、前記ミラー支持具（４）とともに配置され、前記保持クリップ（２２）は、前記板ガラス（６）を破壊しない方法で再度取り外せるよう前記板ガラス（６）の周辺端部を把持し前記ミラー支持具（４）に前記板ガラス（６）を位置決めするミラー部品において、
前記板ガラス（６）の周辺延長範囲の一部分は、前記ミラー支持具（４）に形成された溝（２８）に挿入されるようになっており、前記板ガラス（６）の周辺延長範囲の他の部分は、前記保持クリップ（２２）によって位置決めされることを特徴とするミラー部品。
【請求項２】
前記溝（２８）及び前記保持クリップ（２２）は、前記ミラー支持具（４）の少なくとも二つの互いに対向する周辺領域に形成及び／又は配置されることを特徴とする請求項１に記載のミラー部品。
【請求項３】
前記保持クリップ（２２）は、前記ミラー支持具（４）の縁に形成された接触面（２６）に前記板ガラス（６）の周辺縁を押し付けることを特徴とする請求項１または２に記載のミラー部品。
【請求項４】
前記保持クリップ（２２）は、前記板ガラス（６）の全外周にわたって分散配置される、特に均一に分散配置されることを特徴とする請求項１から３のいずれかに記載のミラー部品。
【請求項５】
前記保持クリップ（２２）は、前記ミラー支持具（４）と一体的に形成されることを特徴とする請求項１から４のいずれかに記載のミラー部品。
【請求項６】
前記保持手段（８）は、互いの間に前記板ガラス（６）を固定することを特徴とする請求項１から５のいずれかに記載のミラー部品。
【請求項７】
前記ミラー支持具（４）は開殻状に実施され、前記板ガラス（６）は殻状開口の縁に位置決めされるようになっていることを特徴とする請求項１から６のいずれかに記載のミラー部品。
【請求項８】
前記殻状ミラー支持具（４）の殻形状は、上から見ると略台形になっており、前記溝（２８）は、前記台形の辺のうちの一つの辺（１２）の長手方向の延長範囲の全体と前記台形の辺（１２）に接続される二つの台形の辺（１６，１８）の長手方向の延長範囲の一部にわたって連続的に延設されることを特徴とする請求項４及び５との組み合わせにおける請求項７に記載のミラー部品。
【請求項９】
前記板ガラス（６）が最終固定位置で載置されるように、少なくとも一つの補強リブが前記殻状開口に延設されることを特徴とする請求項７又は８に記載のミラー部品。
【請求項１０】
前記ミラー支持具はミラーケーシング（４）であることを特徴とする請求項１から９のいずれかに記載のミラー部品。
【請求項１１】
前記ミラー支持具は平面殻状の板ガラス支持具であることを特徴とする請求項１から９のいずれかに記載のミラー部品。
【請求項１２】
前記板ガラス支持具の略全ての周辺縁が前記ミラーケーシングの一部をなすことを特徴とする請求項１１に記載のミラー部品。
【請求項１３】
車両用のバックミラーであって、請求項１１又は１２に記載のミラー部品を備え、前記ミラー部品は、前記ミラーケーシングに配置されており、少なくとも一つの軸を中心に前記ミラーケーシングに対して調整可能であることを特徴とするバックミラー。
【発明の詳細な説明】
【技術分野】
【０００１】
本発明は、板ガラスとミラー支持具とを備えるミラー部品であって、板ガラスが保持手段を利用してミラー支持具の周辺に固定されるミラー部品に関するものである。
【背景技術】
【０００２】
従来、支持具と支持具に接着された板ガラスとからなるミラー板アセンブリをミラーケーシングにクリップ留めすることによりミラー支持具に板ガラスが取り付けられ、ミラーケーシングがミラー支持具となることが知られている。実際にやってみると、この手法には、修理の際にクリップ留めされるミラー板アセンブリを交換することによって簡単かつ迅速に板ガラスを取り替えることができるという利点がある。しかしながら、支持具、接着接続、板ガラスによってミラーアセンブリが作られるため、コストが高いという欠点がある。
【０００３】
第二の選択肢として、いわゆる焼ばめをされるガラスが実際に使用されている。この場合、ミラーケーシングを射出成形する工程の直後に板ガラスがミラーケーシングに圧入される。ミラーケーシングの材料は直前に行われた射出成形のために依然として柔らかく、冷却中に収縮によって大きさが縮小する。そのため、ミラーケーシングの自由開口よりも実質的に大きいサイズの板ガラスを大きい寸法ながらも開口に挿入することができ、ミラーケーシング材料は冷却されると堅固かつ解放不可能に板ガラスを封入する。
【０００４】
この選択肢は、クリップ留めされるミラー板アセンブリに比べてコストが低いという利点がある。しかし、特に紫外線に対する耐久性が低い特定の材料（通例ポリプロピレン）をミラーケーシングに使用しなければならないという欠点がある。さらに、ガラスを依然として温かい状態であるミラーケーシングに挿入可能とするには、射出成形機の直近に組み立てステーションを配置しなければならず、結局のところ板ガラスを破壊せずに取り替えることは実質的に不可能である。
【発明の開示】
【発明が解決しようとする課題】
【０００５】
例えば、板ガラスを取り付けるための最後に記載した選択肢から開始して、本発明の課題は、板ガラスを簡単に取り替えられると同時に組み立てが簡単でコストが低いミラー部品を提供することにある。
【課題を解決するための手段】
【０００６】
上記課題を解決するため、本発明によれば、ミラー支持具に板ガラスを周辺部で接合する保持手段は、弾性変形可能な保持クリップの形状で実施され、保持クリップは、ミラー支持具とともに配置され、板ガラスが破壊しない方法で再度取り外せるよう板ガラスの周辺端部を把持しミラー支持具に板ガラスを位置決めする。
【０００７】
このように、本発明の主題において、保持クリップの形状を有する保持手段のみによって板ガラスがミラー支持具に固定される。したがって、板ガラス側には保持手段が必要なく、材料及びコストの観点で経費がかかる解決法、すなわち、接着接続によって支持具に板ガラスを固定し、その後支持具の保持手段をミラーケーシングの対応する保持手段と係合させることを行わなくてもよくなる。直前の射出成形工程のために依然として柔らかい状態であるミラーケーシングの開口に板ガラスを嵌合する必要がないため、射出成形の直後に射出形成機の近くでガラスを取り付ける必要がなくなり、全体の組み立て工程における柔軟性がより高くなる。また、ミラーケーシングは実質的にどんな所望の材料で製造してもよいため、射出成形適性以外の要件、例えば、紫外線抵抗性に対応することが可能となる。材料の選択がより自由になるため、より良好な表面が得られることになる。
【０００８】
損傷の際には、板ガラスのみを取り替えればよく板ガラスに支持具を新たに接着する必要がないため、問題なく板ガラスを新しい板ガラスと取り替えることが可能である。これにより、修理コストが減少し、廃棄物が減るため環境への負荷も減少する。
【０００９】
従来の解決法では、熱利用（溶融）の際にガラスに障害が発生するため、リサイクルを視野に入れた再加工が難しかった。いずれにせよ材料の再利用が実用可能ではなかった。本発明の主題によれば、高い出費なしにガラスを純度の良い状態で合成材料から分離することができるため、これらの要件を満たすことが可能である。
【００１０】
好ましくは、保持クリップはミラー支持具の縁に形成された接触面に板ガラスの周辺縁を押し付ける。保持クリップの弾性力を利用することによって、安定した特には振動がない板ガラスの取り付けが可能となる。
【００１１】
保持クリップが板ガラスの全外周にわたって分散配置されていれば、特に均一に分散配置されていれば、力が均一に分散して導入されるため、板ガラスに対して伸張による局地的な応力や過剰な応力がかからない。
【００１２】
別の好適な構成によれば、板ガラスの周辺延長範囲の一部分は、ミラー支持具に形成された溝に挿入されるようになっており、溝に収容されない板ガラスの周辺延長範囲の他の部分は、保持クリップによって位置決めされる。その結果、周辺延長範囲の一部分は、ミラー支持具に形成された溝に連続的に収容され、周辺延長範囲の一部分のみが保持クリップによって位置決めされるので、保持クリップのみを利用して単に位置決めする場合と比べて、ミラー支持具に板ガラスをより良好に取り付けることが可能となる。また、後述する内容から明らかなように、ミラー支持具に形成された溝により板ガラスの取り付けが簡素化される。
【００１３】
溝及び保持クリップは、好ましくはミラー支持具の少なくとも二つの互いに対向する周辺領域に形成及び／又は配置される。その結果、取り付けがさらに簡素化され、場合によっては自動化も可能となる。
【００１４】
保持クリップがミラー支持具と一体的に形成されていれば、製造の複雑さを減らすことができ、それにより製造コストを減らすことが可能となる。
【００１５】
板ガラスが保持手段の間に固定されれば、振動に対する安全性に寄与することができる。板ガラスの保持手段の間への固定は、特に、板ガラスが硝子体ではなく、例えば、ミラーコート金属板、ミラーコーティングされた合成材料板などの弾性変形可能な部品から作られる場合に達成される。このような板ガラスの材料に固有の柔軟性を利用することにより、組み立て中に保持クリップに板ガラスをパチンとはめて、保持クリップの間に板ガラスを固定することが可能である。このようなミラーの組み立ては、溝と保持クリップとを備える実施形態においても考え得る。
【００１６】
本発明の一実施形態によれば、ミラー支持具はミラーケーシングでもあり、ミラーケーシングは、周知の方法で、開殻状に実施され、板ガラスは殻状開口の縁に位置決めされるようになっている。
【００１７】
好ましくは、ミラーケーシングの殻形状は上から見て略台形または長方形であり、保持クリップに加えてミラーケーシング（ミラー支持具）に溝が備えられる構成が選択された場合、この溝は、台形又は長方形の辺のうちの一つの辺の長手方向の延長範囲の全体とこの一つの辺に接続する二つの辺の長手方向の延長範囲の一部にわたって連続的に延設される。この溝形状により、板ガラスはミラーケーシングに対して堅固に固定され、とりわけ振動のない嵌合が達成される。
【００１８】
少なくとも一つの補強リブが、板ガラスが最終固定位置で載置されるよう殻状開口に延設される。その結果、板ガラスは後方から追加的に支持される。これは、安定性の理由により、特に広い表面領域に及ぶことになる大きいサイズの板ガラスの場合に効果的である。
【００１９】
ミラー支持具はミラー支持板であってもよいが、「板」という表現は、必ずしも板ガラスが完全に面接触する部品として解釈される必要はない。実際には、そして好ましくは、「板」は、むしろ開いた平らな殻の類いであって、板ガラスが殻状開口の縁に位置決めされるようになっていればよい。具体的な設計に関係なく、ミラー支持板は、板ガラスが収容ハウジングに配置され所定の調整手段によって調整されるようになっているいわゆる「ガラスアジャスタ」において用いられる。この場合、調整手段は、所定の軸受手段によって収容ハウジングに誘導されるミラー支持板に当接する。そして、板ガラスは多かれ少なかれ板（殻状開口の縁）に接触し、ミラー支持板は板ガラスの周辺を超えて突出することになるが、この場合保持手段が突出部に配置される。保持具と保持具が接着されたガラスとからなるミラー板アセンブリとは異なり、ミラー支持具として機能するミラー支持板から板ガラスを取り外して新しい板ガラスと取り替えることにより、損傷の際に板ガラス以外何も取り替えなくてもよくなる。保持手段が縁側の突出部に配置されてミラー保持板が板ガラスを超えて周辺に突出しても、保持手段は平面方向にも軸方向にもミラー支持具の実質的な拡大に寄与することはない。
【００２０】
本発明の主題はさらに車両用のバックミラーにあり、バックミラーは、本発明に係るミラー部品を備えており、ミラー部品は、ミラーケーシングに配置されており、少なくとも一つの軸を中心にミラーケーシングに対して調整可能である。
【図面の簡単な説明】
【００２１】
【図１】本発明の実施形態に係るミラーケーシングとして実施されるミラー支持具の簡易斜視図である。
【図２】図１の状態から１８０度回転させたミラーケーシングの断面図であって、開口が上を向いており、そのため開口が下を向いている。
【図３】図２のＩＩＩ部の拡大図である。
【図４】図２のＩＶ部の拡大図である。
【図５】図５Ａ〜５Ｄは図１及び２に示すミラーケーシングに板ガラスを取り付ける動作順序を示す側面図である。
【発明を実施するための最良の形態】
【００２２】
以下に、本発明の実施形態について、図面を参照して詳細に説明する。なお、図面ごとに異なるスケールを用いている。
【００２３】
ミラー部品２は、例えば図１及び２に示すように、ミラー支持具４とミラー支持具４によって保持され適切な保持手段８によってミラー支持具４に位置決めされる板ガラス６とを備える。
【００２４】
図示する実施例において、ミラー支持具４は、例えば図１及び２に示すように、底面１０と底面１０から上方に突出する四つの側壁とを有する実質的に開殻状であるミラーケーシングの形状で実施される。図１の実施例においては、ミラーケーシングは、上から見ると、二つの対向する長辺１２及び１４と二つの対向する短辺１６及び１８とを有する長方形を呈する。長辺１４からはスタブ又はフランジ２０が延設されており、これにより、方法については詳述しないものの、車体などにミラー支持具４（ミラーケーシング）を取り付けることが可能となっている。
【００２５】
さらに、図１及び２に示すように、底面１０及び辺あるいは側壁１２，１４，１６，１８は、角度を付けて当接しているわけではなく、所定の半径で滑らかに互いに接続している。
【００２６】
板ガラス６は、側壁１２，１４，１６，１８の上側の自由縁によって規定されるミラーケーシング４の開口に位置し、保持手段８によって殻状開口の縁の領域内で固定される。
【００２７】
保持手段８の配置構成は、図１、３及び４に好適に図示されている。図３は図２のＩＩＩ部の拡大図であり、図４は図２のＩＶ部の拡大図である。
【００２８】
本発明の一実施形態によれば、保持手段８は弾性変形可能なクリップ２２として実施され、クリップ２２は、図１の実施形態によれば、長辺１４において長辺１４の上側の縁の領域内にのみ設置されており、上側の縁に沿って一定間隔で配置される。
【００２９】
図１及び４に示すように、クリップ２２は突出部２４を板ガラス６の外面に押し付けつつ板ガラス６の側方の縁を把持する。すると、板ガラス６の後ろ側が接触面２６に位置する。
【００３０】
クリップ２２は、ミラーケーシング４の殻開口の全ての縁に沿って周辺に分散配置されていてもよい。図１及び３に示す実施形態においては、クリップ２２の配置は長辺１４の領域に限られており、反対側の長辺１２の延長範囲の全体にわたって溝２８が形成される。溝２８は、図１に示すように（点線）、長辺１２の全延長範囲と、二つの連接する短辺１６及び１８の一部の領域にまで延設される。図４に示すクリップ２２とは異なり、図３に示す溝２８は、板ガラス６の外辺に接触する突出部３０を均一に呈するものの、弾性変形可能ではない。溝２８とクリップ２２との間において、板ガラス６は、長辺１４側のクリップ２２の軸方向すなわち図２の上下方向と半径方向すなわち板ガラス６の平面方向との両方の弾性力によって固定される。
【００３１】
図２に示す調整機構３２によって、ミラーケーシング４のフランジまたはスタブ２０に対する向きすなわち車体に対する向きを変更して板ガラス６の視界方向を変えることが可能である。
【００３２】
図５Ａ〜５Ｄは、板ガラス６をミラー支持具又はミラーケーシング４に配置する方法を順番に示す図である。図５Ａ〜５Ｃに示すように、板ガラス６は、長辺１４から水平方向に、長辺１４またはそこに設置された保持クリップ２２を超えて、例えば図５Ｃに示す相対位置に達するまで移動される。この相対位置において、前端部３４（または前端部３４に連続する板ガラス６の側方の縁部分）が短辺１６及び１８の端部から溝２８に挿入され始める。そして、図５Ｃに示す位置から図５Ｄに示す位置へ板ガラス６をさらにスライド移動させることにより、溝２８の形状に対応する板ガラス６の前端部３４の全部位が溝２８に収容される。図５Ｄに示す向きにおいて、板ガラス６の後端部３６すなわち移動または挿入の方向に対して後方位置にある端部は、クリップ２２の突出部２４の上側に載置され、図５Ｄにおける下向きの圧力により後端部３６がクリップ２２の突出部２４を乗り越える。そして、突出部２４は外側方向に弾性変形し、弾性復帰移動又はスナップバックをして板ガラス６を乗り越えて元の位置に戻る（図４参照）。
【００３３】
この位置にあると、板ガラス６は座標系の三方向のいずれにも移動せず、溝２８と所定数のクリップ２２とによって振動がないよう保持される。
【００３４】
損傷した板ガラス６を取り替えるには、所定の装置を利用して板ガラス６からクリップ２２の突出部２４を外し、その後図５Ａ〜５Ｄの移動の順序を逆にしてミラーケーシング４から板ガラスを取り外し、新しい板ガラスと取り替えればよい。
【００３５】
ミラーケーシング４に板ガラス６を取り付けるために板ガラス６側にはいかなる取り付け手段も必要ないので、板ガラスと板ガラスに接着された支持具とからなる完成したミラー板アセンブリは必要なく、板ガラスの取り替えを低コストで行うことができる。焼きばめされる板ガラスとは異なり、破壊しない方法で板ガラス６の取り外し及び取り替えを行うことが可能であり、さらに、各要件に最適に適用できるミラー支持具またはミラーケーシング４の材料を選ぶことが可能であり、この材料は必ずしも板ガラスの焼ばめに必要な特性を持っている必要はない。
【００３６】
クリップ２２の形状をしており、板ガラス６の挿入そして特に破壊しない方法での板ガラス６の取り外しを可能にする保持手段８は、ミラー支持具の材料から一体的に形成することが好ましい。しかしながら、保持手段８は、例えば、ミラー支持具の材料が弾性や可撓性を持たない場合には、適切な手段でミラー支持具に取り付けられる別個の部品であってもよい。
【００３７】
別の選択肢として、長辺１２，１４間及び／又は短辺１６，１８間のミラーケーシング４の殻の内側に延設され板ガラス６の平面部にまで延設される補強リブ又はウェブを設けて、例えば、図２に示す取り付け状態において、そのようなリブ又はウェブにより板ガラス６を後ろから支持してもよい。
【００３８】
上記では、ミラー支持具４が殻状ミラーケーシングとして実施される実施例について述べた。
【００３９】
本発明の主題は、ミラー支持具がミラー支持板の形状を有しており、配置される板ガラスと一緒に収容ハウジングに配置されるミラー部品であって、一つ又は数個の軸を有する所定の調整機構がミラー支持板と収容ハウジングとの間に存在するミラー部品にも同様に適用可能である。冒頭で述べたように、「板」という表現は、必ずしも板ガラスが完全に面接触するような平面的な又は平らな部品として解釈される必要はない。「板」は、むしろ開いた殻の類いであって、板ガラスが殻状開口の縁に位置決めされると理解すべきである。
【００４０】
ミラー支持板は、少なくとも一部分において板ガラスを超えて周辺に突出するサイズを有していてもよく、このような場合、例えば、図１に示すクリップ２２及び溝２８と同じような所定の保持手段８をこれら突出領域又は突出縁あるいは突出部位に配置及び／又は形成してもよい。
【００４１】
この場合、図１〜５に示す殻状ミラーケーシングを有する実施形態と同様の効果が得られる。すなわち、損傷の際に板ガラスを簡単に取り替えることができ、ミラー支持具、ミラーケーシング、ミラー支持板の材料を柔軟に選択でき、組み立ての選択肢がより柔軟になり、コストを節約できる。
【符号の説明】
【００４２】
２  ミラー部品
４  ミラー支持具またはミラーケーシング
６  板ガラス
８  保持手段
１０  底面
１２  長辺
１４  長辺
１６  短辺
１８  短辺
２０  フランジまたはスタブ
２２  保持クリップ
２４  突出部
２８  溝
３２  調整機構
３４  前端部
３６  後端部
【図１】
0005351970.tif 000002
【図２】
0005351970.tif 000003
【図３】
0005351970.tif 000004
【図４】
0005351970.tif 000005
【図５】
0005351970.tif 000006